(57)【要約】【課題】簡易な構造であり、かつ、設置に大掛かりな工事が不要であり、建造物の天井と床との間の空間へ立体的に植物を配置可能な構造物を立てることができる、植栽装置を提供する。【解決手段】植栽装置１ａは、側面に複数の開口部１２１を有する中空構造体である本体部１２と、本体部１２と上下方向へスライド可能に取着された基台部２１と、本体部１２の内部かつ各開口部１２１の近傍に設けられると共に、孔部が形成された載置体１２４と、最上段に位置する載置部１２４の上方に水を供給する給水部１２３とを備える。載置部１２４には植栽ポット体１３を載置し、各開口部１２１を介して植物１３１が外部に出るようにする。【選択図】図１
2014239666.tif 000002
【特許請求の範囲】
【請求項１】
側面に複数の開口部を有する中空構造体である第１の本体部と、
該第１の本体部と上下方向へスライド可能に取着された第２の本体部と、
前記第１の本体部の内部かつ各開口部の近傍に設けられると共に、孔部が形成された載置部と、
最上段に位置する前記載置部の上方に水を供給する給水手段とを備える
植栽装置。
【請求項２】
側面に複数の開口部を有し、伸縮自在な中空構造体である本体部と、
該本体部の内部かつ各開口部の近傍に設けられると共に、孔部が形成された載置部と、
最上段に位置する前記載置部の上方に水を供給する給水手段とを備える
植栽装置。
【請求項３】
前記載置部は、同載置部に供給された水を前記第１の本体部若しくは前記本体部の中心方向に導く導水部を有する
請求項１または請求項２に記載の植栽装置。
【請求項４】
前記第２の本体部は、その側面に複数の開口部を有する中空構造体であり、
同第２の本体部の内部かつ各開口部の近傍に設けられると共に、孔部が形成された載置部を有する
請求項１に記載の植栽装置。
【請求項５】
前記給水手段は、最下部に位置する前記載置部から供給された水を上方に供給すべく構成された
請求項１、請求項２、請求項３または請求項４に記載の植栽装置。
【請求項６】
前記載置部に載置された植物を備える
請求項１、請求項２、請求項３、請求項４または請求項５に記載の植栽装置。
【発明の詳細な説明】
【技術分野】
【０００１】
本発明は、植栽装置に関する。更に詳しくは、大掛かりな工事を行うこと無く、建造物の天井と床との間の空間へ立体的に植物を配置可能な構造物を立てることができる、植栽装置に関する。
【背景技術】
【０００２】
従来から、温暖化対策や都市部の緑化を目的として、壁面緑化パネルや立体的な草花の植栽を目的とした構造物が存在しており、例えば、下記特許文献１又は２のようなものがある。
【０００３】
特許文献１記載の発明は、地上に周方向に所定の間隔を隔てて起立して設けられる複数の柱部と、これら柱部に上下に間隔を隔てて複数設けられた受け板と、これら受け板上に設けられ上下に延びる筒状の内側メッシュ層と、該内側メッシュ層の内周側の空間に充填され植物を生育させるための芯材と、前記内側メッシュ層の外周に内側メッシュ層を覆うように設けられ植物を植え込むための植込層と、該植込層内に設けられ植込層に水を供給する給水管と、前記植込層の外周に巻回され植込層に植え込まれた植物の通過を許容しつつ植込層を保持するための外側メッシュ層を備えたことを特徴とする緑化ポールである。
【０００４】
特許文献２記載の発明は、壁面に取り付けられる植栽体であって、前記壁面に対向配置され、花卉を支持する弾性支持体と、植栽される花卉の根の部分の収まる高さ空間を、前記壁面と前記弾性支持体との間に確保するための所定の構造体と、前記壁面に固定され、前記弾性支持体と前記構造体を支持する桟と、を備え、前記弾性支持体には、前面からの押し込み力により開口されて前記空間に通じるとともに、押し込み力の解除により閉口する切込口が形成され、前記切込口が花卉を把持することを特徴とする植栽体である。
【先行技術文献】
【特許文献】
【０００５】
【特許文献１】特開２０１１−６７１４０号公報
【特許文献２】特開２０１２−１８３０３７号公報
【発明の概要】
【発明が解決しようとする課題】
【０００６】
特許文献１記載の緑化ポールは、当該文献の図１、図９乃至図１２に示すように土地に固定され、特許文献２記載の植栽体は、当該文献の図１及び図２に示すように建造物に固定される。地震や台風等の自然災害の場合、子供がぶら下がったりする等の通常使用以外の状況が発生した場合に、倒壊や落下等の事故を防止するためである。
【０００７】
これらは、その施工の際に大掛かりな工事を要するものであって、手間と時間が掛かり、一度設置すると簡単に移動や撤去がしにくく、自己所有物件以外に対しては設置許可が下りにくい。また、大掛かりなものであるがゆえに、構造が複雑となり、装置が高額となる。
【０００８】
このような理由から、賃貸物件や集合住宅で暮らす個人等の需要者には設置が難しいが、一方で、簡易、かつ、できるだけ安価で、安全に建物のエントランス等の室内や軒下に植物を配置したいというニーズも存在する。
【０００９】
本発明は以上の点に鑑みて創案されたものであって、簡易な構造であり、かつ、設置に大掛かりな工事が不要であり、建造物の天井と床との間の空間へ立体的に植物を配置可能な構造物を立てることができる、植栽装置を提供することを目的とするものである。
【課題を解決するための手段】
【００１０】
本発明は、側面に複数の開口部を有する中空構造体である第１の本体部と、該第１の本体部と上下方向へスライド可能に取着された第２の本体部と、前記第１の本体部の内部かつ各開口部の近傍に設けられると共に、孔部が形成された載置部と、最上段に位置する前記載置部の上方に水を供給する給水手段とを備える植栽装置である。
【００１１】
当該植栽装置は、第１の本体部と第２の本体部とが上下方向へスライド可能に取着されており、上下方向に伸縮自在である。
【００１２】
当該植栽装置は、設置予定場所まで縮めた状態で運び、設置場所で伸長させると、本体部が立設する。このとき、伸長した植栽装置の第１の本体部及び第２の本体部の先端部が、建造物の天井と床へそれぞれ当接すると、植栽装置の上部が天井と、下部が床面と、それぞれが接して生じた面圧により垂直抗力が生じ、固定をより強固なものにする。
【００１３】
当該植栽装置に対し、第１の本体部の側面の開口部を介して、内部の載置部へ植物の全部又は一部（例えば、植物の根の部分あるいは根の部分を含んだ培地）を載置することで、当該開口部から植物の一部（例えば、花や葉の部分）が外部へ出る。
【００１４】
当該給水手段は、最上段に位置する載置部の上方に水を供給する。なお、当該給水手段には、外部から供給されるもののみならず、植栽装置内を循環する形で供給されるものも含む。
【００１５】
当該載置部に植物が載置されていれば当該植物に給水され、当該植物又はその培地の保水力を超えて染み出た水は、一旦載置部で受けられ、載置部の孔を通じて、下方に位置する次の載置部へ送られる。前記載置部に植物が載置されていなければ、給水された水は、直接載置部で受けられ、載置部の孔を通じて、下方に位置する次の載置部へ送られる。
【００１６】
当該載置部は、本体部にある開口部に対応して複数設けられており、前記の水の流れは最下部に位置する載置部に至るまで続く。
【００１７】
本発明は、側面に複数の開口部を有し、伸縮自在な中空構造体である本体部と、該本体部の内部かつ各開口部の近傍に設けられると共に、孔部が形成された載置部と、最上段に位置する前記載置部の上方に水を供給する給水手段とを備える植栽装置である。
【００１８】
なお、本発明は、本体部自体が伸縮自在に構成され、本体部自体を上下に伸縮させて植栽装置を設置する以外は、概ね前記植栽装置と同様であるため、作用の説明を省略する。
【００１９】
前記植栽装置は、載置部が、同載置部に供給された水を前記第１の本体部若しくは前記本体部の中心方向に導く導水部を有するものであってもよい。
【００２０】
当該植栽装置の場合、載置部の導水部が、同載置部に供給された水を前記第１の本体部若しくは前記本体部の中心方向に導くので、次の載置部へ効率的に水が給水され、給水方向が好適ではない場合に生じる、開口部から外部への水漏れを抑止する。
【００２１】
前記植栽装置は、第２の本体部が、その側面に複数の開口部を有する中空構造体であり、同第２の本体部の内部かつ各開口部の近傍に設けられると共に、孔部が形成された載置部を有するものであってもよい。
【００２２】
当該植栽装置の場合、第２の本体部を第１の本体部と同様の構成としたことで、第２の本体部にも植栽領域が拡大する。
【００２３】
前記植栽装置は、給水手段が、最下部に位置する前記載置部から供給された水を上方に供給すべく構成されたものであってもよい。
【００２４】
当該植栽装置の場合、給水手段が、最下部に位置する前記載置部から供給された水を上方に供給すべく構成されているので、最上部から給水された水が再度利用され、外部からの給水、排水が行い難い設置環境下でも、植栽装置が使用できる。
【００２５】
前記植栽装置は、載置部に載置された植物を備えるものであってもよい。
【００２６】
当該植栽装置の場合、植物が載置部に載置されており、大掛かりな工事を行うこと無く、簡易且つ安価で、安全に、建造物の天井と床との間の空間へ立体的に植物を配置される。
【００２７】
本明細書及び本特許請求の範囲において、「本体部」には、単一の部材のみからなるもののほか、二以上の部材を組み合わせてなる（例えば、第１の本体部と第２の本体部とを併せた本体部）構成も含まれる。
【００２８】
本明細書及び本願の特許請求の範囲において、植栽対象となる植物の種類は、特に限定されないが、植栽装置に収めやすく、植栽装置の重量バランスを取る観点から、比較的軽量小型の花卉類が好適に使用される。
【発明の効果】
【００２９】
大掛かりな工事を行うこと無く、簡易且つ安価で、安全に、建造物の天井と床との間の空間へ立体的に植物を配置した構造物を立てることができる植栽装置を提供することができる。また、当該植栽装置によれば、設置には費用と時間が掛からず、設置場所選択の自由度が高く、一度設置しても簡単に位置の変更又は撤去ができる。
【図面の簡単な説明】
【００３０】
【図１】第1実施形態に係る植栽装置の斜視図である。
【図２】図１に示す植栽装置の内部構造を示した断面視説明図である。
【図３】図１に示す植栽装置の伸縮動作及び開閉構造の側面視説明図（ａ）と、植栽装置の当接部の他の態様を示す説明図（ｂ）である。
【図４】第２実施形態に係る植栽装置の斜視図である。
【図５】図４に示す植栽装置の内部構造を示した断面視説明図である。
【図６】植栽装置に付加する追加装飾体の使用状態説明図である。
【図７】図１に示す植栽装置について、基台部にも植栽可能とした態様を示した斜視図である。
【図８】第３実施形態に係る植栽装置の内部構造及び伸縮前後の構造を示した断面視説明図である。
【発明を実施するための形態】
【００３１】
図１乃至図８を参照して、本発明の実施の形態を更に詳細に説明する。なお、各図における符号は、煩雑さを軽減し理解を容易にする範囲内で付している。
【００３２】
〔第1実施形態〕 
本発明の一の実施の形態（第１実施形態）を、図１乃至図３に基づいて説明する。 
図１に示す植栽装置１ａは、建造物の天井と床との間に配置されるものであって、上部及び下部が開口した角柱状の基台部１１ａと、周面に複数の開口部１２１が形成された円柱状であり、少なくとも基部側が基台部１１ａ内に収まり、先部側が天井へ当接する構造の本体部１２とを備えている（図１参照）。
【００３３】
基台部１１ａ内及び本体部１２内の空間は連通しており、当該空間には、給水部１２３と、複数の載置体１２４と、開口部を介して当該載置体に載置される複数の植栽ポット体１３と、排水部１２５と、当該排水部下方に収まる貯水容器１４と、当該貯水容器内に収まる水中ポンプ１４２が設けられている（図２参照）。
【００３４】
なお、前記本体部１２は、課題を解決するための手段に記載された「第１の本体部」に相当し、同様に、前記基台部１１ａは「第２の本体部」に、植栽ポット体１３は「植物」に、前記給水部１２３は「給水手段」に、前記載置体１２４は「載置部」に、それぞれ相当する。
【００３５】
基台部１１ａは、三方に縦長の側壁を有する所要高さのケース部１１１と、ケース部１１１側方に形成される開口領域の上部側に横架された上部横枠１１２と、ケース部１１１内の下端近傍に架設された下部横枠１１４と、前記開口領域を閉塞する扉部１１５を備えている（図３参照）。蓋部１１５は、蝶番によりケース部１１１へ回動可能に取着されている。
【００３６】
基台部１１ａは、本体部１２が上下方向へスライド可能に収容されており（換言すると、基台部１１ａは、本体部１２に外嵌めされており、本体部１２の長手方向に沿って上下動するスライド部材であるともいえる）、本体部１２を所要長さ繰り出した後に、上部横枠１１２を介して固定ネジ１１３を本体部１２周面に螺着し、当該位置からスライドしないよう固定される（図３参照）。
【００３７】
基台部１１ａ内の下方側には、貯水容器１４が収納されている。貯水容器１４は、少なくとも上方の開口部縁部が基台部１１ａ内の側壁と当接し、底部が下部横枠１１４に支持されている。貯水容器１４内部には、水中ポンプ１４２が設置されている。水中ポンプ１４２は、貯水容器１４内に貯まった水（以下「貯留水１４１」という）を、給水部１２３を通じて本体部１２上方に供給する機能を有している（図２参照）。
【００３８】
本体部１２は、周壁に囲まれた中空構造体であって、周壁に培地収容体１３４を出し入れできる複数の開口部１２１を有する。各開口部１２１は円形であり、各々が高さ方向の同一線上に並ばないように（換言すると互い違いとなるように）配置されている。
【００３９】
本体部１２の上端には、上面が平坦な当接部１２２ａが固着されている。当接部１２２ａは、大きさの違う２枚の角板が重なった形状であり、小さな角板側が本体部１２上端に固着され、大きな角板側が天井と当接する上面となる（図３（ａ）参照）。なお、図３（ｂ）に示す符号１２２ｂは、当接部の他の態様である。当接部１２２ｂは、本体部１２上部との間にボールジョイントを有しており、全周方向に傾斜可能に設けられている。
【００４０】
給水部１２３は、パイプ体であり、下方に位置する一端が水中ポンプ１４２に接続され、中間部が上方に立ち上がって本体部１２内の最上部へ至って下方に曲がり、他端が給水口となる構造である。
【００４１】
各載置体１２４は、各開口部１２１近傍（より詳しくは開口部のやや下方）の本体部１２内部空間内に設けられた漏斗状の部材である。各載置体１２４は、本体部内の空間の直径とほぼ同じ直径に形成され、上部に位置する水受け部と、下部に位置する筒口である導水部を有する。各載置体１２４の水受け部は、開口部１２１から入れられる植栽ポット体１３の培地収容体１３４を載置する受け皿を兼ねる。
【００４２】
排水部１２５は、本体部１２の最下部近傍から基台部１１ａ下方に至る内部空間内に設けられており、載置体１２４と同じ構造の集水部と、集水部に載置された濾過フィルタ１２６と、集水部下方に接続され、貯水容器１４へ水を導出するパイプを有する。
【００４３】
植栽ポット体１３は、植栽対象である植物１３１と、袋状の不織布製の培地収容体１３４を備える。培地収容体１３４は、植物の根１３２と共に培地１３３を内包している。
【００４４】
（作  用）
図１乃至図３を使用して、植栽装置１ａの作用を説明する。
植栽装置１ａは、本体部１２を基台部１１ａ側に縮めた状態で保管及び運搬する。これにより、保管時及び運搬時における省スペース化を図る。
【００４５】
植栽装置１ａを設置予定場所まで運搬し、設置場所が決まれば、その場所で本体部１２を伸長させ、建造物の天井に当接部１２２ａが隙間無く当たって止まるまで伸ばす。当接部１２２ａが天井面と隙間無く当接していることを確認後、上部横枠１１２を介して固定ネジ１１３を本体部１２周面に螺着し、当該位置からスライドしないよう固定する。
【００４６】
これにより、植栽装置１ａが、建造物の天井と床との間に本体部を立てた状態で固定され、植栽装置１ａの上面が天井と、下面が床面と、それぞれ接して面圧が生じ、当該状態では垂直抗力が生じているのでしっかりとした固定がなされる。なお、植栽装置１ａの上部が当接部１２２ｂであれば、ボールジョイントにより当接面が全周方向に傾斜可能であるため、天井面が傾斜していても対応できる。
【００４７】
固定した植栽装置１ａの各開口部１２１を介して、本体部１２へ植栽ポット体１３を設置する。より具体的には、開口部１２１から本体部１２内へ植栽ポット体１３を入れ、培地収容体１３４を載置体１２４に載置して、設置作業が完了する。貯水容器１４内の貯留水１４１の補充交換は、扉部１１５を開けて行う。
【００４８】
設置後の植栽装置１ａは、貯水容器１４内の貯留水１４１が、給水部１２３を介して、最上部に位置する植栽ポット体１３の培地収容体１３４へ供給される。供給後の水は、培地収容体１３４を透過して内包する培地１３３へ染み込み、植物の根１３２が培地１３３から染み込んだ水を吸水する。
【００４９】
この際に、培地収容体１３４へ供給された水のうち、培地収容体１３４に染み込んだ水で培地１３３の保水力を超えて染み出た分と、散布したが培地収容体１３４へかからなかった分が、載置体１２４の水受け部により受けられ、集まる。載置体１２４に集まった水は、導水部を通じて、直近下方に配置された他の培地収容体１３４へ供給される。載置体１２４は、各開口部１２１毎に設けられており、前記の集水と給水の水の流れが最下部に位置する載置体１２４に至るまで繰り返し続く。
【００５０】
排水部１２５に至った水は、濾過フィルタ１２６で濾過される。濾過後の水は貯水容器１４へ導出される。貯水容器１４内に貯まった水（貯留水１４１）は、水中ポンプ１４２及び給水部１２３を通じて、再供給される。
【００５１】
このように、植栽装置１ａは、従来の植栽体又は緑化ポール等と比較して構造が単純であるため、製造コスト減、軽量化を図れる。
【００５２】
植栽装置１ａは、大掛かりな工事を行うこと無く、簡易且つ安価で、安全に、建造物の天井と床との間の空間へ立体的に植物を配置した構造物を立てることができる（図１参照）。
また、植栽装置１ａによれば、設置には費用と時間が掛からず、基礎工事等が必要ないので設置場所選択の自由度が高く、一度設置しても簡単に位置の変更又は撤去ができる。植栽装置１ａは、特に、その構造にあまり手を入れることができない賃貸物件に設置するのに適しており、マンションのベランダ、一軒家の玄関軒下等の屋外のほか、水循環装置を使用する場合は屋内にも設置することができる。
【００５３】
図７に示す植栽装置１ｂは、植栽装置１ａの他の態様であり、基台部１１ｂにも植栽可能に構成されている。
植栽装置１ｂの基台部１１ｂは、周壁に円形の開口部１１６が複数形成され、各々が高さ方向の同一線上に並ばないように配置されている。基台部１１ｂ内部には、各開口部１１６の近傍に載置体１２４が設けられ、最下部の開口部の下方には排水部１２５が設けられている（図示省略）。
【００５４】
なお、前記基台部１１ｂは、課題を解決するための手段に記載された「その側面に複数の開口部を有する中空構造体である、第２の本体部」に相当する。
【００５５】
前記植栽装置１ｂによれば、基台部１１ｂを本体部１２と同様の構成としたことで、本体部１２のみならず、基台部１１ｂにも植栽領域が拡大する。つまり、各開口部１１６にも植栽ポット体１３を設置することができる（図７参照）。
【００５６】
植栽装置１ｂは、基台部１１ｂを除く他の部分の構造及び作用が、前記植栽装置１ａと共通しているため、重複する説明を省略する。
【００５７】
〔第２実施形態〕 
本発明の他の実施の形態（第２実施形態）を図４、図５に基づいて説明する。 
図４及び図５に示す植栽装置２も、植栽装置１ａと同様に、建造物の天井と床との間に配置されるものである。
なお、本実施形態において説明する植栽装置２は、植栽装置１ａと構造が一部共通しているため、重複する説明を省略し、相違する構造についてのみ以下で説明する。また、植栽装置１ａと作用が共通しているため、説明を省略する。
【００５８】
植栽装置２は、上部及び下部が開口した角柱状の基台部２１と、正面側の周壁に複数の開口部２２１ａ，２２１ｂが形成され、少なくとも基部側が基台部２１内に収まり、先部側が天井へ当接する構造の本体部２２とを備えている。
【００５９】
基台部２１内及び本体部２２内の空間は連通しており、当該空間には、給水部２２３と、複数の載置体２２４と、開口部を介して当該載置体に載置される複数の植栽ポット体１３，２３と、排水部２２５と、当該排水部下方に収まる貯水容器（図示省略）と、当該貯水容器内に収まる水中ポンプ（図示省略）が設けられている（図５参照）。
なお、基台部２１は、形状は異なるが基台部１１ａとほぼ同様の構造であるため、説明を省略する。
【００６０】
本体部２２は、周壁に囲まれた角柱状の中空構造体であり、側面の奥行きが薄い壁状（或いはパネル状）に形成されている。
本体部２２の上端には、上面が平坦な当接部２２２が固着されている。当接部２２２は、大きさの違う２枚の角板が重なった形状であり、小さな角板側が本体部２２上端に固着され、大きな角板側が天井と当接する上面となる（図４参照）。
【００６１】
植栽ポット体２３は、植物（符号省略）と、培地収容体１３４よりも横長である不織布製の培地収容体２３４を有し、培地収容体２３４は、植物の根と共に培地を内包している。
【００６２】
各開口部２２１ａ，２２１ｂは、植物の培地収容体を出し入れできる大きさ及び形状に形成されている。上方側の２つの開口部２２１ａの形状は、幅方向に長い長方形であり、下方側の開口部２２１ｂの形状は、幅方向に並んだ３つの円形である（図４参照）。開口部２２１ａを介して、本体部２２内へ植栽ポット体２３の培地収容体２３４が収容でき、開口部２２１ｂを介して、本体部２２内へ前記植栽ポット体１３の培地収容体１３４が収容できる。
【００６３】
給水部２２３は、パイプ体であり、下方に位置する一端が水中ポンプに接続され、中間部が上方に立ち上がって本体部２２内の最上部へ至って横方向に曲がり、横方向に曲がった箇所から垂下した３箇所の給水口を有する構造である。
【００６４】
載置体２２４は、各開口部２２１ａの近傍（より詳しくは開口部２２１ａのやや下方）の本体部２２内部空間内に設けられたトレイ状の部材である。
各載置体２２４は、その上部に位置し、本体部２２内の空間の横断面とほぼ同じ大きさに形成され、内底部の所要箇所に複数（本実施形態では３つ）の貫通孔を有する水受け部と、下部に位置し、貫通孔を通じて下方へ導水可能に形成された筒状の導水部（本実施形態では貫通孔の数に対応し、横方向に並んで３つ）を有している。
【００６５】
水受け部は各導水部に水を誘導するように内底が傾斜しており、水受け部の内底面上には、複数の通水孔を有する中敷２２６が配置されている。当該水受け部は、開口部２２１ａから入れられた植栽ポット体２３の培地収容体２３４の受け皿を兼ねており、培地収容体２３４は中敷２２６上に載置される（図５参照）。
【００６６】
排水部２２５は、本体部２２の最下部近傍から基台部２１下方に至る内部空間内に設けられており、本体部２２内の空間の横断面とほぼ同じ大きさに形成されたトレイ状の水受け部と、水受け部の所要箇所にある貫通孔と、水受け部下方において貫通孔と連通し、貯水容器１４へ水を導出するパイプを有する。水受け部はパイプに水を誘導するように傾斜しており、水受け部の内底面上には濾過フィルタ２２７が配置されている。水受け部は、開口部２２１ｂから入れられた植栽ポット体１３の培地収容体１３４の受け皿を兼ねており、培地収容体１３４は濾過フィルタ２２７上に載置される。
【００６７】
〔第３実施形態〕 
本発明の他の実施の形態（第３実施形態）を図８に基づいて説明する。 
図８に示す植栽装置４も、植栽装置１ａと同様に、建造物の天井と床との間に配置されるものであり、本体部（符号４１）自体が伸縮自在な構造のものである。
なお、本実施形態において説明する植栽装置４は、植栽装置１ａと構造が一部共通しているため、重複する説明を省略し、相違する構造についてのみ以下で説明する。また、植栽装置１ａと共通する作用についても、同様に説明を省略する。
【００６８】
植栽装置４の本体部４１は、複数本（本実施形態では３本）の棒状伸縮部を有する伸縮フレーム４１１と、伸縮フレーム４１１の上端に固着された当接部４１２と、伸縮フレーム４１１の下端に固着された当接部４１３と、本体部の最上部から給水可能に設けられた給水部４１４と、伸縮フレーム４１１外側に取着され、伸長した際に開口部４１６が所要箇所に形成される側部カバー４１５と、伸縮フレーム４１１の高さ方向に取着された、複数（本実施形態では３つ）の載置体４１７と、載置体４１７の下方に位置する排水部４１８と、排水部４１８下方に位置する貯水容器４１９を備えている（図８参照）。
【００６９】
なお、前記本体部４１は、課題を解決するための手段に記載された「伸縮自在な中空構造体である本体部」に相当し、同様に、前記載置体４１７は「載置部」に、給水部４１４は「給水手段」に、それぞれ相当する。
【００７０】
伸縮フレーム４１１は、各棒状伸縮部が筒径を異にする複数のパイプ部材を順次内挿されて伸長又は収縮するものであって、パイプ部材内に設けられた付勢手段及び係止爪が協働して伸縮位置を固定する構造である。
側部カバー４１５は、ビニル樹脂シートを筒状に形成したものであって、伸縮フレーム４１１の外周に沿う内径且つ伸縮フレーム４１１の最大伸長時と同じ高さに設定されている。
本体部４１は、伸縮フレーム４１１及び側部カバー４１５が協働することにより、伸縮自在な中空構造体となる。
【００７１】
給水部４１４は、ホースであり、下方に位置する一端が貯水容器４１９内の水中ポンプ（図示省略）に接続され、中間部が上方に立ち上がって本体部４１内の最上部へ至って下方に曲がり、他端が給水口となる構造である。
【００７２】
開口部４１６は、複数（本実施形態では４箇所）に設けられており、本体部４１の最大伸長時に全ての開口部が側部カバー４１５に現れる。なお、本体部４１が最大伸長状態でないときは、本体部の高さに応じて一部の開口部が側部カバー４１５に現れる。
【００７３】
各載置体４１７は、伸縮フレーム４１１の内側の空間（換言すると、各棒状伸縮部に囲まれた内側にあたる空間）に取着してある。載置体４１７は、植栽装置１ａの載置体１２４とほぼ同様の形状及び構造であるが、外縁部近傍が伸縮フレーム４１１の各棒状伸縮部に取着されている点が異なり、当該取着箇所を介して棒状伸縮部に沿って上下にスライド可能であり、かつ、取着箇所に設けられた締着部材により位置を固定可能に設けられている。
【００７４】
排水部４１８は、載置体４１７の下方に設けられており、載置体４１７と同じ構造の集水部と、集水部下方に接続され、貯水容器１４へ水を導出するホースを有する。なお、集水部には濾過フィルタを設置してもよい。
なお、貯水容器１４は既出の貯水容器と同じ構造であり、植栽装置４に使用される植物は植栽ポット体１３であるため、これらの説明は省略する。
【００７５】
（作  用）
植栽装置４の作用を説明する。
植栽装置４は、本体部４１の伸縮フレーム４１１を縮めた状態で保管及び運搬することで、保管時及び運搬時における省スペース化を図る。このとき、縮小した伸縮フレーム４１１の長さに対応して側部カバー４１５の余長部分はギャザー状に撓んでいる。
【００７６】
植栽装置４を設置予定場所まで運搬し、設置場所が決まれば、その場所で本体部４１を伸長させ、建造物の天井に当接部４１２が隙間無く当たって止まるまで伸ばす。これにより、植栽装置４が、その上面が天井と、下面が床面と、それぞれ接して面圧が生じ、当該状態では垂直抗力が生じているのでしっかりとした固定がなされる。
【００７７】
このとき、伸縮フレーム４１１の伸長に追従して側部カバー４１５も伸び、開口部４１６が現れる。各開口部４１６の位置と対応するように各載置体４１７及び排水部４１８をスライドさせ、適当な位置で固定する。
設置した植栽装置４の各開口部４１６へ植栽ポット体１３を設置して、設置作業が完了する。
【００７８】
設置後の植栽装置４は、植栽装置１ａとほぼ同様の構造となり、奏する作用効果が同じであるため、説明を省略する。なお、設置した植栽装置４の撤去又は移転作業は、前記設置手順と逆の手順で行えばよく、簡単に行うことができる。
【００７９】
本実施の形態では、植栽装置１ａ，１ｂ及び植栽装置２のサイズは、安定性を考慮して、基台部の高さが７０〜１００ｃｍ程度とし、本体部の高さが１２０〜１５０ｃｍ程度であるが、これに限定するものではなく、安定性を確保しつつ適宜設計変更が可能である。
植栽装置２は、内部の給排水構造が複雑化し大掛かりにならないように、横幅が１００ｃｍ程度であることが好適であるが、適宜設計変更してもよい。また、植栽装置２を複数並べて設置することで、広い面積をカバーする壁面緑化装置のようにすることもできる。
植栽装置４のサイズは、本体部自体が伸縮する構造であるため、縮小時又は伸長時のサイズは適宜設定しうる。
【００８０】
本実施の形態では、植栽装置１ａ，１ｂ及び植栽装置２の本体部は塩化ビニル等の合成樹脂製であり、基台部は木製であるが、これに限定するものではなく、金属等の他の公知部材又はこれらの組み合わせであってもよい。また、植栽装置２の本体部を構成する側部カバーは、ビニル樹脂シートであるが、これに限定するものではなく、縮めた状態で畳んだ状態となる程度の柔軟性を有し、かつ、少なくとも内面側が耐水性を有する素材であればよく、耐水処理を施した紙製、布製のシート等の公知素材を採用することもできる。
【００８１】
本実施の形態では、植栽装置を固定するための構成が、基台部と本体部の伸縮構造、または、本体部自体の伸縮構造であるが、例えば、本体部のいずれかの箇所に伸縮する棹部材が設けられ、当該棹部材が伸長して先部が天井に当接する構成等の公知手段或いは公知部材を利用したものであってもよい。この場合、垂直抗力による固定のみならず、棹部材の先端又は基端にボルト或いはアンカー等の公知の取付部材を設けて固定する態様のもの等であってもよい。
【００８２】
本実施の形態では、植栽装置の主な固定力は当接部により生じる垂直抗力であるが、強風や振動の設置環境等の事情に応じて、当接部にボルト或いはアンカー等の公知の取付部材を用いて天井や床への固定力を補強することもできる。
【００８３】
本実施の形態では、本体部のスライド動作のストッパーとして固定ネジを使用しているが、これに限定するものではなく、例えば、本体部側面の高さ方向に数センチ刻みの孔を複数設け、基台部の一定以上強度を有するいずれかの箇所にも孔を設け、本体部の繰り出し位置が決まったら、基台部側の孔と本体部側の孔の位置を合わせて連通状態とし、当該連通した孔へ固定のためのピンを挿入してスライド位置を固定する等の公知手段或いは公知部材を採用してもよい。
【００８４】
本実施の形態では、貯水容器と水中ポンプを組み合わせた給排水構造が採用されているが、これに限定するものではなく、例えば、屋外設置の場合であれば、給水部には水道管から直接導入され、排水部からの排水は植栽装置外へ流すような給排水の態様であってもよい。
【００８５】
本実施の形態では、植栽ポット体の培地収容体は、各載置体の水受け部に載置されているが、培地収容体の保持手段はこれに限定するものではなく、例えば、本体部内の空間に設けたリング状物の保持部材、網状或いは棚状の受け部材等の公知部材或いは公知手段であってもよい。当該構造の場合、その下部に、集水及び給水のために漏斗状物、トレイ状物等を別途配置することが好ましい。
【００８６】
本実施の形態において、植物の培地は、根腐れ防止、下方に位置する他の植栽ポット体への給水の観点から、水はけが良いものが好適に使用される。また、本実施の形態では、培地収容体は不織布で形成しているが、これに限定するものではなく、例えば、合成樹脂製のネットで形成された容器のような公知部材等であって、水透過性を有し、その形状が変形可能程度の柔軟な素材のものが好適に使用される。
【００８７】
本実施の形態では、開口部の形状は円形又は横長の長方形であるが、これに限定するものではなく、例えば、三角形や五角形以上の多角形、楕円等の公知形状であってもよい。また、開口部には、不使用時に当該開口部を閉塞するための蓋又は扉を設置してもよい。
【００８８】
〔追加装飾体〕
図６に示す符号３は、植栽装置の本体部の開口部以外の箇所にも植物による装飾を施すべく設けるために用いる、追加装飾体である。
追加装飾体３は、本体部１２と反対側へ膨出した形状（本実施の形態では略半円弧状）の筒体であり、両端が本体部へ接合されている。
【００８９】
追加装飾体３は、その周面に植栽ポット体の培地収容体を収めることができ、上方の接合部を介して本体部１２から給水され、下方の接合部を介して本体部１２へ排水するように設けられている。なお、符号３３１は追加装飾体３に植栽された植栽ポット体の植物部分を示している。
追加装飾体３を使用することにより、植栽装置がより華やかな外観となり、例えば、植栽装置２のような平面的なものに用いると立体感が生まれる。
【００９０】
本実施の形態では、追加装飾体は、塩化ビニル等の合成樹脂により形成された略半円弧状の筒状体であるが、これに限定するものではなく、例えば、金属等の公知部材で形成したものであってもよいし、Ｃ字状、コ字状、く字状、波形等の公知形状に形成されたものであってもよい。また、植栽ポット体を使用する態様では無く、追加装飾体の内部に培地を充填し、開口部から栽培対象植物が露出するように植栽したような構造であってもよい。
【００９１】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００９２】
１ａ，１ｂ    植栽装置
１１ａ，１１ｂ    基台部
１１１    ケース部
１１２    上部横枠
１１３    固定ネジ
１１４    下部横枠
１１５    扉部
１１６    開口部
１２    本体部
１２１    開口部
１２２ａ，１２２ｂ    当接部
１２３    給水部
１２４    載置体
１２５    排水部
１２６    濾過フィルタ
１３    植栽ポット体
１３１    植物
１３２    根
１３３    培地
１３４    培地収容体
１４    貯水容器
１４１    貯留水
１４２    水中ポンプ
２    植栽装置
２１    基台部
２２    本体部
２２１ａ，２２１ｂ    開口部
２２２    当接部
２２３    給水部
２２４    載置体
２２５    排水部
２２６    中敷
２２７    濾過フィルタ
２３    植栽ポット体
２３４    培地収容体
３    追加装飾体
３３１    植物
４    植栽装置
４１    本体部
４１１    伸縮フレーム
４１２    当接部
４１３    当接部
４１４    給水部
４１５    側部カバー
４１６    開口部
４１７    載置体
４１８    排水部
４１９    貯水容器
【図１】
2014239666.tif 000003
【図２】
2014239666.tif 000004
【図３】
2014239666.tif 000005
【図４】
2014239666.tif 000006
【図５】
2014239666.tif 000007
【図６】
2014239666.tif 000008
【図７】
2014239666.tif 000009
【図８】
2014239666.tif 000010